(57)【特許請求の範囲】
【請求項１】
一端が開口端とされている凹状の容器と、その容器の底面に載置されたバックライト装置と、平面視で前記容器の内側に伸びるとともに前記容器の開口端を覆うつば部を有して前記容器の側壁の係止部に側壁部が係止された枠体と、前記容器の底面の端部に位置する内部枠体と、前記バックライト装置側の面の中央部が液晶表示パネルに接合されている透明保護板と、を有する液晶表示装置であって、前記液晶表示パネルは、前記バックライト装置との間に第１の隙間を有しており、前記枠体は、平面視で前記つば部によって構成された開口が前記液晶表示パネルの外形の外側にあるとともに前記つば部と前記透明保護板との間に第２の隙間を有しており、前記内部枠体は、前記バックライト装置の側面との間に第３の隙間を有しているとともに前記第１の隙間に入り込む延出部を有しており、前記延出部と前記液晶表示パネルの周縁部とが接合材によって接合されている液晶表示装置。
【請求項２】
前記つば部は、前記透明保護板と対向する面に突部を有している請求項１に記載の液晶表示装置。
【請求項３】
前記内部枠体は、前記つば部との間に第４の隙間を有している請求項１または請求項２に記載の液晶表示装置。
【請求項４】
前記内部枠体は、前記容器の底面の端部に接する面及び前記つば部側の面の少なくとも一方に、接触面積を小さくするための凹部を有している請求項１乃至請求項３のいずれかに記載の液晶表示装置。
【請求項５】
前記透明保護板は、前記バックライト装置側の面の周縁部に、前記液晶表示パネルの周縁部から前記つば部にかけて遮光層を有している請求項１乃至請求項４のいずれかに記載の液晶表示装置。
【請求項６】
前記液晶表示パネルと前記透明保護板とを接合する接合材の厚みが０．３ｍｍ以下である請求項１乃至請求項５のいずれかに記載の液晶表示装置。
【発明の詳細な説明】
【技術分野】
【０００１】
本発明は、バックライト装置と液晶表示パネルとカバーガラス等の透明保護板とを有する液晶表示装置（Liquid  Crystal  Display  ：ＬＣＤ）に関するものである。
【背景技術】
【０００２】
従来のＬＣＤの１例について基本構成の断面図を図５に示す。図５に示すように、上側が外部に開放された開口端となっている、アルミニウム（Ａｌ），亜鉛（Ｚｎ）メッキ鋼材等から成る凹状の容器２１の底面に導光板２２が載置され、両面接着テープ等によって容器２１の底面に接合されている。バックライト装置３２は、導光板２２と、導光板２２上に載置された、レンズ状突起あるいはビーズ状突起を多数有するレンズ（ビーズ）拡散シート、及び反射型偏光性フィルム（Dual  Brightness  Enhancement  Film）等から成る光再利用シートとしての光学シート２３と、を含んで成る。バックライト装置３２上に間隔をあけて液晶表示パネル２５が設置されている。容器２１の側壁21aの外側面に枠体３１の側壁部31aの内側面が接着、ネジ止め等の手段によって取り付けられており、枠体３１の上端に平面視で容器２１の内側に伸びるようにつば部31cが形成されている。容器２１の底面の端部にあって、枠体３１のつば部31cの根元部を支持するための樹脂等から成る支持部材３４が、容器２１の内部に設置されている。
【０００３】
液晶表示パネル２５の透明保護板２７側の面（表示側の面）は、ＵＶ硬化樹脂あるいは両面テープから成る第１接着層２６によって、透明保護板２７の液晶表示パネル２５側の面の中央部に接着されている。また、透明保護板２７の液晶表示パネル２５側の面の周縁部は、粘着シート３５によって、枠体３１のつば部31cに接着されている。さらに、液晶表示パネル２５のバックライト装置３２側の面の周縁部は、第１接着層２６と同様の両面テープ等から成る第２接着層２９によって、バックライト装置３２の周縁部及び支持部材３４の延出部34aに接着されている。
【０００４】
また、鉤状の係止部21bが、側壁部31aに形成された貫通孔31bに挿入され係止されることによって、枠体３１が容器２１に取り付けられている。また、バックライト装置３２と液晶表示パネル２５との間には隙間Ｇがある（例えば、特許文献１を参照）。
【０００５】
なお、バックライト装置３２は、位相差板、直線偏光板等を備えていている場合があり、液晶表示パネル２５は位相差板、直線偏光板、タッチパネル等を備えていている場合がある。
【先行技術文献】
【特許文献】
【０００６】
【特許文献１】特開２０１４−１１５５８８号公報
【発明の概要】
【発明が解決しようとする課題】
【０００７】
図５に示す上記従来のＬＣＤにおいては、液晶表示パネル２５は、その反表示側の面の周縁部が第２接着層２９によって、バックライト装置３２の周縁部及び支持部材３４の延出部34aの２種類の部材に接着されているために、反表示側の面の周縁部に応力が加わり、その周縁部においてコントラスト低下、白抜け等の表示品質の劣化が生じやすいという問題点があった。また、バックライト装置３２の側面と支持部材との延出部34aの側面とが接した状態にあるために、バックライト装置３２が駆動時に発熱して膨張した際に、その膨張変形による応力が支持体３４、つば部31c及び粘着シート３５を介して透明保護板２７の周縁部に加わり、さらに液晶表示パネル２５の表示側の面の周縁部に影響を与えて、表示品質を劣化させる原因となるという問題点があった。
【０００８】
本発明は、上記の問題点に鑑みて完成されたものであり、その目的は、液晶表示パネルの周縁部に加わる応力を低減、解消してその表示品質が劣化することを抑えることである。
【課題を解決するための手段】
【０００９】
本発明の液晶表示装置は、一端が開口端とされている凹状の容器と、その容器の底面に載置されたバックライト装置と、平面視で前記容器の内側に伸びるとともに前記容器の開口端を覆うつば部を有して前記容器の側壁の係止部に側壁部が係止された枠体と、前記容器の底面の端部に位置する内部枠体と、前記バックライト装置側の面の中央部が液晶表示パネルに接合されている透明保護板と、を有しており、前記液晶表示パネルは、前記バックライト装置との間に第１の隙間を有しており、前記枠体は、平面視で前記つば部によって構成された開口が前記液晶表示パネルの外形の外側にあるとともに前記つば部と前記透明保護板との間に第２の隙間を有しており、前記内部枠体は、前記バックライト装置の側面との間に第３の隙間を有しているとともに前記第１の隙間に入り込む延出部を有しており、前記延出部と前記液晶表示パネルの周縁部とが接合材によって接合されている構成である。
【００１０】
本発明の液晶表示装置は、好ましくは、前記つば部は、前記透明保護板と対向する面に突部を有している。
【００１１】
また本発明の液晶表示装置は、好ましくは、前記内部枠体は、前記つば部との間に第４の隙間を有している。
【００１２】
また本発明の液晶表示装置は、好ましくは、前記内部枠体は、前記容器の底面の端部に接する面及び前記つば部側の面の少なくとも一方に、接触面積を小さくするための凹部を有している。
【００１３】
また本発明の液晶表示装置は、好ましくは、前記透明保護板は、前記バックライト装置側の面の周縁部に、前記液晶表示パネルの周縁部から前記つば部にかけて遮光層を有している。
【００１４】
また本発明の液晶表示装置は、好ましくは、前記液晶表示パネルと前記透明保護板とを接合する接合材の厚みが０．３ｍｍ以下である。
【発明の効果】
【００１５】
本発明の液晶表示装置は、一端が開口端とされている凹状の容器と、その容器の底面に載置されたバックライト装置と、平面視で容器の内側に伸びるとともに容器の開口端を覆うつば部を有して容器の側壁の係止部に側壁部が係止された枠体と、容器の底面の端部に位置する内部枠体と、バックライト装置側の面の中央部が液晶表示パネルに接合されている透明保護板と、を有する液晶表示装置であって、液晶表示パネルは、バックライト装置との間に第１の隙間を有しており、枠体は、平面視でつば部によって構成された開口が液晶表示パネルの外形の外側にあるとともにつば部と透明保護板との間に第２の隙間を有しており、内部枠体は、バックライト装置の側面との間に第３の隙間を有しているとともに第１の隙間に入り込む延出部を有しており、延出部と液晶表示パネルの周縁部とが接合材によって接合されていることから、以下のような効果を奏する。即ち、液晶表示パネルとバックライト装置との間に第１の隙間があるので、バックライト装置の発熱による熱膨張の影響を液晶表示パネルが直接受けないこととなる。また、枠体は、平面視でつば部によって構成された開口が液晶表示パネルの外形の外側にあることから、液晶表示パネルの周縁部につば部に起因する応力が発生しにくいものとなる。枠体は、つば部と透明保護板との間に第２の隙間を有していることから、内部枠体及びつば部の変形による応力が透明保護板に伝わらないために、液晶表示パネルの表示側の面の周縁部に応力の影響を与えて表示品質を劣化させることを抑えることができる。内部枠体は、バックライト装置の側面との間に第３の隙間を有していることから、バックライト装置の駆動時の発熱による熱膨張の影響を直接受けないこととなる。また、内部枠体は、第１の隙間に入り込む延出部を有しており、延出部と液晶表示パネルの周縁部とが接合材によって接合されていることから、単一の部材によって液晶表示パネルの周縁部を支持することができるので、液晶表示パネルの周縁部に応力が発生しにくいものとなる。また、枠体は、側壁部が容器の側壁の係止部に係止されているので、枠体が容器に強固に固着されておらず、バックライト装置等の構成部品に熱膨張等が発生した際にそれを若干吸収して、容器及び枠体に発生する応力を緩和することができる。以上より、液晶表示パネルの周縁部に加わる応力を低減してその表示品質が劣化することを抑えることができる。
【００１６】
本発明の液晶表示装置は、好ましくは、つば部は、透明保護板と対向する面に突部を有していることから、透明保護板の周縁部につば部と反対側から外力が加わった際に、突部が透明保護板の周縁部の高さの変位を規制する高さ規制部として機能する。その結果、液晶表示パネルの周縁部に加わる応力を低減してその表示品質が劣化することを抑える効果が高まる。
【００１７】
本発明の液晶表示装置は、好ましくは、内部枠体は、つば部との間に第４の隙間を有していることから、内部枠体の変形による応力が透明保護板にさらに伝わりにくくなる。
【００１８】
また本発明の液晶表示装置は、好ましくは、内部枠体は、容器の底面の端部に接する面及びつば部側の面の少なくとも一方に、接触面積を小さくするための凹部を有していることから、内部枠体からつば部に加わる応力を低減することができる。特に、小型化のためにつば部の幅を小さくした場合に有利である。
【００１９】
また本発明の液晶表示装置は、好ましくは、透明保護板は、バックライト装置側の面の周縁部に、液晶表示パネルの周縁部からつば部にかけて遮光層を有していることから、つば部を遮光部として用いる必要がなくなる。
【００２０】
また本発明の液晶表示装置は、好ましくは、液晶表示パネルと透明保護板とを接合する接合材の厚みが０．３ｍｍ以下であることから、薄い接合材によって液晶表示パネルと透明保護板を接合することが可能となる。また、薄型化された液晶表示装置となる。
【図面の簡単な説明】
【００２１】
【図１】図１（ａ），（ｂ）は、それぞれ本発明の液晶表示装置について実施の形態の１例を示す図であり、液晶表示装置の基本構成の断面図である。
【図２】図２（ａ），（ｂ）は、それぞれ本発明の液晶表示装置について実施の形態の他例を示す図であり、液晶表示装置の基本構成の断面図である。
【図３】図３（ａ），（ｂ）は、それぞれ本発明の液晶表示装置について実施の形態の他例を示す図であり、液晶表示装置の基本構成の断面図である。
【図４】図４は、本発明の液晶表示装置について実施の形態の他例を示す図であり、液晶表示装置の透明保護板の周縁部及びその周囲の拡大断面図である。
【図５】図５は、従来の液晶表示装置の１例を示す図であり、液晶表示装置の基本構成の断面図である。
【発明を実施するための形態】
【００２２】
以下、本発明のＬＣＤの実施の形態について、図面を参照しながら説明する。但し、以下で参照する各図は、本発明のＬＣＤの実施の形態における構成部材のうち、本発明のＬＣＤを説明するための主要部を示している。従って、本発明に係るＬＣＤは、図に示されていない回路基板、配線導体、制御ＩＣ，ＬＳＩ等の周知の構成部材を備えていてもよい。
【００２３】
図１（ａ），（ｂ）は、それぞれ本発明のＬＣＤについて実施の形態の１例を示す図であり、ＬＣＤの基本構成の断面図である。図１に示すように、ＬＣＤは、一端が開口端とされている凹状の容器１と、その容器１の底面に載置され固定されたバックライト装置１２と、平面視で容器１の内側に伸びるとともに容器１の開口端を覆うつば部11cを有して容器１の側壁１ａの係止部１ｂに側壁部11aが取り付けられた枠体１１と、容器１の底面の端部に位置する内部枠体４と、バックライト装置１２側の面の中央部が液晶表示パネル５に接合されている透明保護板７と、を有するＬＣＤであって、液晶表示パネル５は、バックライト装置１２との間に第１の隙間Ｇ１を有しており、枠体１１は、平面視でつば部11cによって構成された開口が液晶表示パネル５の外形の外側にあるとともにつば部11cと透明保護板７との間に第２の隙間Ｇ２を有しており、内部枠体４は、バックライト装置１２の側面との間に第３の隙間Ｇ３を有しているとともに第１の隙間Ｇ１に入り込む延出部４ａを有しており、延出部４ａと液晶表示パネル５の周縁部とが接合材９によって接合されている構成である。
【００２４】
上記の構成により、以下のような効果を奏する。即ち、液晶表示パネル５とバックライト装置１２との間に第１の隙間Ｇ１があるので、バックライト装置１２の発熱による熱膨張の影響を液晶表示パネル５が直接受けないこととなる。また、枠体１１は、平面視でつば部11cによって構成された開口が液晶表示パネル５の外形の外側にあることから、液晶表示パネル５の周縁部につば部11cに起因する応力が発生しにくいものとなる。枠体１１は、つば部11cと透明保護板７との間に第２の隙間Ｇ２を有していることから、内部枠体４及びつば部11cの変形による応力が透明保護板７に伝わらないために、液晶表示パネル５の表示側の面の周縁部に応力の影響を与えて表示品質を劣化させることを抑えることができる。内部枠体４は、バックライト装置１２の側面との間に第３の隙間Ｇ３を有していることから、バックライト装置１２の駆動時の発熱による熱膨張の影響を直接受けないこととなる。また、内部枠体４は、第１の隙間Ｇ１に入り込む延出部４ａを有しており、延出部４ａと液晶表示パネル５の周縁部とが接合材９によって接合されていることから、単一の部材によって液晶表示パネル５の周縁部を支持することができるので、液晶表示パネル５の周縁部に応力が発生しにくいものとなる。また、枠体１１は、側壁部11aが容器１の側壁１ａの係止部１ｂに係止されているので、枠体１１が容器１に強固に固着されておらず、バックライト装置１２等の構成部品に熱膨張等が発生した際にそれを若干吸収して、容器１及び枠体１１に発生する応力を緩和することができる。以上より、液晶表示パネル５の周縁部に加わる応力を低減してその表示品質が劣化することを抑えることができる。
【００２５】
本発明のＬＣＤにおいて、図４に示すように、つば部11cは、透明保護板７と対向する面に突部11dを有していることが好ましい。この場合、透明保護板７の周縁部につば部11cと反対側から外力が加わった際に、突部11dが透明保護板７の周縁部の高さの変位を規制する高さ規制部として機能する。その結果、液晶表示パネル５の周縁部に加わる応力を低減してその表示品質が劣化することを抑える効果が高まる。突部11dは、第２の隙間Ｇ２よりも低い高さを有しているが、第２の隙間Ｇ２の高さが０．２ｍｍ〜０．５ｍｍ程度であり、突部11dの高さが０．１ｍｍ〜０．１５ｍｍ程度であることがよい。従って、突部11dの頂部と透明保護板７の周縁部との間の距離は０．０５ｍｍ〜０．４ｍｍ程度であることが好ましい。０．０５ｍｍ未満では、ＬＣＤが熱膨張等によってわずかに変形した際に突部11dが透明保護板７の周縁部に接触することが発生する傾向がある。０．４ｍｍを超えると、高さ規制部として機能しにくくなり、液晶表示パネル５の周縁部に加わる応力を低減する効果が発現しにくくなる傾向がある。また、突部11dは、つば部11cの透明保護板７と対向する面の外側の端に近い部位、特につば部11cの中心よりも外側にあることがよい。この場合、透明保護板７の周縁部につば部11cと反対側から外力が加わった際に、突部11dが透明保護板７の周縁部に接触しやすくなり、高さ規制部として機能しやすくなり、液晶表示パネル５の周縁部に加わる応力を低減する効果が発現しやすくなる傾向がある。また、突部11dは、その頂部が平坦面であるか突状の曲面であることがよい。この場合、透明保護板７の周縁部につば部11cと反対側から外力が加わった際に、突部11dがその応力を緩和しやすくなる。突部11dは、その平面視形状が円形、楕円形、三角形、四角形、五角形以上の多角形、帯状等の種々の形状であるようにすることができる。また、突部11dは複数設けることもでき、あるいはつば部11cの全周にわたって連続的または断続的に帯状、堤状に設けることもできる。また、突部11dは、つば部11cと一体的に設けられたものであってよいが、つば部11cの透明保護板７と対向する面に別体のものとして形成された樹脂製、金属製、セラミック製等のものであってもよい。
【００２６】
なお、液晶表示パネル５の表示側の面は、高透明性接着剤転写テープ（Optically  Clear  Adhesive  Tape  ：ＯＣＡ）等の透明な接合材６によって、ガラス板，アクリル板等から成る透明保護板７に接合されている。また、液晶表示パネル５の反表示側の面の周縁部は、必ずしも透明性を必要としない白色等の色合いの両面接着テープ等から成る接合材９によって、内部枠体４の延出部４ａに接合されている。この接合材９は、全周にわたって設けられていてもよいが、複数の接合材９が互いに間隔をあけて間欠的に設けられていてもよい。さらには、液晶表示パネル５の平面視形状が四角形状である場合、液晶表示パネル５の対向する２辺の中央部または各辺の中央部に、それぞれ接合材９が設けられていてもよい。この場合、液晶表示パネル５の周縁部に応力が加わることをより抑えることができる。
【００２７】
また接合材９は、シリコーン樹脂，ポリウレタン，発泡性ポリウレタン（ウレタンフォーム），マイクロセルポリマーシート等の低反発性樹脂、衝撃吸収性樹脂等から成る緩衝部材を基材とし、その基材の上面及び下面に接着層、粘着層を有するものであることが好ましい。この場合、液晶表示パネル５の周縁部に応力が加わることをさらに抑えることができる。
【００２８】
また好ましくは、透明保護板７のバックライト装置１２側の面の周縁部からつば部11cにかけて、黒色、黒褐色、紺色等の暗色系の色合いの遮光性樹脂等から成る遮光層８が形成されていることが良い。この場合、つば部11cを遮光部として用いる必要がなくなり、応力緩和に有利である。
【００２９】
液晶表示パネル５と透明保護板７とを接合する接合材６の厚みは、０．３ｍｍ以下であることが好ましい。この場合、薄い接合材６によって液晶表示パネル５と透明保護板７を接合することが可能となる。また、薄型化されたＬＣＤとなる。なお、接合材６の厚みは０．１ｍｍ以上とすることがよい。０．１ｍｍ未満では、液晶表示パネル５が透明保護板７の変形の影響を受けやすくなる傾向がある。
【００３０】
突起から成る係止部１ｂが、側壁部11aに形成された貫通孔11bに挿入され係止されることによって、枠体１１が容器１に取り付けられる。この場合、係止部１ｂが側壁部11aにあり、貫通孔11bが側壁１ａにあってもよい。また、側壁１ａの内側面の側に側壁部11aがあってもよい。そして、容器１を側壁部11aの内側に下方から挿入して、係止部１ｂを貫通孔11bに係止させることによって、容器１と枠体１１が組み付けられる。
【００３１】
内部枠体４は、アクリル樹脂，ポリイミド，ポリアミド，ポリイミドアミド，シリコーン樹脂，ポリウレタン等の樹脂材料から成る。この内部枠体４は、稠密体であってもよいが、つば部11cに加わる応力の緩和、及び軽量化のために、内部に空洞を有する中空構造、表面に切欠部、凹部を有する切欠構造を有していることがよい。特に、図１（ｂ）に示すように、内部枠体４４は、容器１の底面の端部に接する面及びつば部11c側の面の少なくとも一方に、接触面積を小さくするための凹部を有していることが好ましい。なお、内部枠体４４がつば部11cに接する面を有している場合、その面に凹部を形成する。そして、上記の構成の場合、内部枠体４４からつば部11cに加わる応力を低減することができる。特に、小型化のためにつば部11cの幅を小さくした場合に有利である。また、内部枠体４４が樹脂から成る場合であって、加熱後に冷却、硬化させて作製する樹脂製のものである場合、内部枠体４４が凹部のない稠密構造体であれば、表面に凹みが発生し、接触面にがたつきが生じやすい。内部枠体４４が接触面積を小さくするための凹部を有している構成である場合、容器１の底面の端部に接する面、つば部11c側の面に凹みが発生せず、接触面にがたつきが生じることが解消される。また、内部枠体４は、枠状に形成された単一の部材であってもよく、あるいは複数の部材から成っていてもよい。
【００３２】
内部枠体４４は、容器１の底面の端部に接する面（接触面ａとする）及びつば部11cに接する面（接触面ｂとする）の少なくとも一方に、接触面積を小さくするための凹部を有している場合、平面視で凹部の開口の面積が接触面ａの面積（凹部がないとした場合の面積）の５０％以上であることがよい。この場合、接触面ａにがたつきが生じにくい傾向がある。また、平面視で凹部の開口の面積が接触面ｂの面積（凹部がないとした場合の面積）の５０％以上であることがよい。この場合、接触面ｂにがたつきが生じにくい傾向があるとともに、内部枠体４４からつば部11cに加わる応力を低減する効果が高まる。
【００３３】
液晶表示パネル５とバックライト装置１２との間の第１の隙間Ｇ１は０．２５ｍｍ〜１ｍｍ程度であることがよい。０．２５ｍｍ未満では、バックライト装置１２の熱膨張による変形により、液晶表示パネル５とバックライト装置１２が接触する事態が生じる傾向がある。１ｍｍを超えると、ＬＣＤが大型化する傾向がある。
【００３４】
またバックライト装置１２は、位相差板、直線偏光板等を備えていてもよく、液晶表示パネル５は位相差板、直線偏光板、タッチパネル等を備えていてもよい。
【００３５】
本発明のＬＣＤは、図２（ａ），（ｂ）に示すように、内部枠体５４,６４は延出部54a,64aの上側の幅よりも下側の幅が小さいことが好ましい。この場合、延出部54a,64aがバックライト装置１２側に撓みやすくなり、液晶表示パネル５の周縁部に応力が強く加わることを抑えることができる。また、バックライト装置１２の側面と内部枠体５４,６４との間の第３の隙間Ｇ３が拡がるので、バックライト装置１２の熱膨張の影響を内部枠体５４,６４が受け難くなる効果が高まる。
【００３６】
また本発明のＬＣＤは、図３（ａ），（ｂ）に示すように、内部枠体７４，８４は、つば部11cとの間に第４の隙間Ｇ４を有していることが好ましい。この場合、内部枠体７４，８４の変形による応力が透明保護板７にさらに伝わりにくくなる。また、第２の隙間Ｇ２は第４の隙間Ｇ４よりも小さいことが好ましい。この場合、第２の隙間Ｇ２を通じて埃等の粒子が外部からＬＣＤ内部に入り込むことを抑えることができる。なお、図３（ａ），（ｂ）において、74a,84aは内部枠体７４，８４の延出部である。
【００３７】
なお、本発明のＬＣＤは、上記実施の形態に限定されるものではなく、適宜の設計的な変更、改良を含んでいてもよい。
【産業上の利用可能性】
【００３８】
本発明のＬＣＤは各種の電子機器に適用できる。その電子機器としては、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機、ヘッドアップディスプレイ装置、プロジェクタ装置、デジタル表示式腕時計などがある。
【符号の説明】
【００３９】
１  容器
１ａ  側壁
１ｂ  係止部
２  導光板
３  光学シート
４，４４，５４，６４，７４，８４  内部枠体
４ａ，４４ａ，５４ａ，６４ａ，７４ａ，８４ａ  延出部
５  液晶表示パネル
６  透明な接合材
７  透明保護板
８  遮光層
９  接合材
１１  枠体
１１ａ  側壁部
１１ｂ  貫通孔
１１ｃ  つば部
１１ｄ  突部
Ｇ１  第１の隙間
Ｇ２  第２の隙間
Ｇ３  第３の隙間
Ｇ４  第４の隙間
【図１】
0006374786.tif 000002
【図２】
0006374786.tif 000003
【図３】
0006374786.tif 000004
【図４】
0006374786.tif 000005
【図５】
0006374786.tif 000006